(57)【特許請求の範囲】
【請求項１】
ベースモジュール（２）と、ベースモジュール（２）上に着脱可能に挿入可能な電子装置モジュール（３）とを備えた電子装置（１）であって、この場合、ベースモジュール（２）は、ベースモジュール（２）を支持レール上に装着するための係止足部（５）および側壁上のプラグ接点（７、８）を備えた絶縁材ハウジング（１６）を有し、電子装置モジュール（３）は絶縁材ハウジング（２０）を有し且つベースモジュール（２）上に挿入された状態においてベースモジュール（２）の付属プラグ接点（７、８）と結合可能であり、およびベースモジュール（２）および電子装置モジュール（３）は、電子装置モジュール（３）がベースモジュール（２）上に挿入されたとき、ベースモジュール（２）および電子装置モジュール（３）を相互に固定するために協働する係止要素を有する電子装置（１）において、
電子装置モジュール（３）の係止要素は、電子装置（１）の第２端面（１５）に操作ラグ（２７）を有すること、電子装置モジュール（３）は、電子装置（１）の第２端面（１５）の反対側の電子装置（１）のその第１端面（１１）に掴みラグ（１９）を有すること、および電子装置モジュール（３）およびベースモジュール（２）は相互に協働する直線案内部（３５ａ，３５ｂ；３６ａ，３６ｂ）を有し、この場合、電子装置モジュール（３）は、直線案内部（３５ａ，３５ｂ；３６ａ，３６ｂ）により、ベースモジュール（２）に直線状に移動可能に保持され且つベースモジュール（２）に受入可能であること、および操作ラグ（２７）は、電子装置モジュール（３）をベースモジュール（２）から係止解除するために操作ラグ（２７）及び掴みラグ（１９）が手で掴まれると同時に、操作ラグ（２７）と協働する係止要素を操作するように構成されていることを特徴とする電子装置（１）。
【請求項２】
ばね弾性を有する係止アーム（２３）が電子装置モジュール（３）の絶縁材ハウジング（２０）と一体に成形されていること、係止アーム（２３）が操作ラグ（２７）を有し且つその自由端部に係止ラグ（２４）を支持し、およびベースモジュール（２）に固定された挿入状態においてその自由端部をベースモジュール（２）に向けていること、およびベースモジュール（２）の絶縁材ハウジング（１６）に電子装置モジュール（３）の方向に突出する係止ブラケット（２６）が設けられており、係止ブラケット（２６）は、係止ブラケット（２６）の自由端部にクロスバー（３７）によって境界が形成された係止開口（２５）を有することを特徴とする請求項１に記載の電子装置（１）。
【請求項３】
電子装置（１）の一方の端面（１５）にばね弾性を有する係止アーム（２３）および付属係止開口（２５）を備えた係止要素が設けられ、および反対側の端面（１１）で電子装置モジュール（３）は、ベースモジュール（２）に間接的に固定されていることを特徴とする請求項１または２に記載の電子装置（１）。
【請求項４】
電子装置（１）が、電気導体を接続するための導体接続端子（３２）を備えた、電子装置モジュール（３）上に挿入可能な導体接続モジュール（４）を有し、この場合、導体接続端子（３２）は、導体接続モジュール（４）が電子装置モジュール（３）上に挿入された作動状態において、電子装置モジュール（３）と電気的に導通結合され、および導体接続モジュール（４）およびベースモジュール（２）が、ばね弾性を有する係止アーム（２３）および付属係止開口（２５）の反対側の端面（１１）に、導体接続モジュール（４）をベースモジュール（２）に固定するための固定要素（１２、１３）を有することを特徴とする請求項３に記載の電子装置（１）。
【請求項５】
掴みラグ（１９）がベースモジュール（２）の絶縁材ハウジング（１６）の開口（１８）内に突出し且つ好ましくはベースモジュール（２）の端面（１１）から突出することを特徴とする請求項１ないし４のいずれかに記載の電子装置（１）。
【請求項６】
開口（１８）がベースモジュール（２）から離れる方向に開放していることを特徴とする請求項５に記載の電子装置（１）。
【請求項７】
掴みラグ（１９）が、電子装置モジュール（３）上に挿入された、作動状態にある導体接続モジュール（４）に隣接して配置されていることを特徴とする請求項１ないし６のいずれかに記載の電子装置（１）。
【請求項８】
操作ラグ（２７）を備えた、ばね弾性を有する係止アーム（２３）が、操作ラグ（２７）の反対側の突出する掴みラグ（１９）よりも、係止足部（５）を備えたベースモジュール（２）の下側によって展張された平面に、より近づいて位置することを特徴とする請求項１ないし７のいずれかに記載の電子装置（１）。
【請求項９】
ばね弾性を有する係止アーム（２３）の操作ラグ（２７）および／または掴みラグ（１９）が、波形隆起（２１）、特に挿入方向に対して横方向に伸長し且つ相互に間隔をなすクロスバー（２２）を有することを特徴とする請求項１ないし８のいずれかに記載の電子装置（１）。
【発明の詳細な説明】
【技術分野】
【０００１】
本発明は、ベースモジュールと、ベースモジュール上に着脱可能に挿入可能な電子装置モジュールとを備えた電子装置であって、この場合、ベースモジュールは、ベースモジュールを支持レール上に装着するための係止足部および側壁上のプラグ接点を備えた絶縁材ハウジングを有し、電子装置モジュールは絶縁材ハウジングを有し且つベースモジュール上に挿入された状態においてベースモジュールの付属プラグ接点と結合可能であり、およびベースモジュールおよび電子装置モジュールは、電子装置モジュールがベースモジュール上に挿入されたとき、ベースモジュールおよび電子装置モジュールを相互に固定するために協働する係止要素を有する電子装置に関するものである。
【背景技術】
【０００２】
このタイプの電子装置は、特に分散型モジュール方式制御装置用に使用される。多数のこのような電子装置は、この場合、支持レール上に並列に装着される。ここで、このような電子装置列の最初のヘッドモジュールは、電界バスカップラまたは電界バスコントローラとして設計されている。このとき、電界バスコントローラ内において制御プログラムが実行可能であり、制御プログラムは、個々の電子装置に接続可能な電界バス部品を操作し、ないしは電界バス部品からデータを取得し且つそのデータを制御プログラムにより評価し、およびそのデータを、データバス装置をさらに制御するために利用する。このような電界バス装置は、アクチュエータ、センサまたはその他の装置であってもよい。
【０００３】
側壁上のプラグ接点によりデータバスが確立され、データバスを介して、ヘッドモジュールと電子装置との間で、場合により電子装置それ自身の間でデータが交換可能である。これらのデータは、制御データ、測定データまたはその他のデータであってもよい。電子装置の電子構造要素に電力を供給するために、制御装置の側壁上のプラグ接点により、さらに、電子装置用の貫通電源が提供される。電子装置に接続可能な電界バス部品にそれを介して電力が供給される電源を提供するために、好ましくはデータバスおよびシステム電源用のプラグ接点に対し間隔をなして、側壁上にさらにプラグ接点が存在していてもよい。これらのプラグ接点は、たいていは、システム電源およびデータバス用のプラグ接点よりも本質的に高い電流用に設計されている。
【０００４】
例えばＤＥ１０２０１１１１０１８２Ａ１から、電子装置が、ベースモジュール、その上に装着可能な電子装置モジュールおよび電子装置モジュール上に装着可能な導体接続モジュールを有する３つの部分から設計されているモジュール方式制御装置が既知である。この場合、導体接続モジュールは、電気導体を接続するための導体接続接点を有する。導体接続モジュールは、導体接続モジュールが電子装置モジュール上に挿入された状態において、個々の導体接続端子は電子装置モジュールと電気的に導通結合される。電子装置モジュールをベースモジュール上に挿入することにより、電子装置モジュールは、ベースモジュールの側壁上のプラグ接点と電気的に導通結合される。ベースモジュールは、ベースモジュールを支持レール上に装着するための係止足部を有する。例えば電子装置が故障した場合に電子装置モジュールを交換するために、個々に電子装置から電力が遮断されなくてもよいように、導体接続モジュールは、電子装置モジュールから取外し可能である。この場合、導体接続モジュールは、正面側部壁において、揺動可能に電子装置モジュールと結合されている。一方、電子装置モジュールは、反対側の側部上において、揺動可能にベースモジュールと結合可能である。導体接続モジュールは、電子装置モジュールのばね弾性を有する係止アームに存在する軸受内に、揺動可能に受け入れられている。係止アームは、ベースモジュールの係止開口内に入り込む係止ラグを有する。これにより、電子装置モジュールは、導体接続モジュールと共に、係止アームの操作によりベースモジュールの下方に揺動可能である。
【０００５】
この既知の電子装置においては、作動中においてもまた、電子装置モジュールを導体接続モジュールと共にベースモジュールから引き抜くことがきわめて容易に可能である。これは、制御されている装置において、例えば作動中に引き抜くことが故意にではなく行われたとき、重大な問題を発生することがある。
【先行技術文献】
【特許文献】
【０００６】
【特許文献１】ＤＥ１０２０１１１１０１８２Ａ１
【発明の概要】
【発明が解決しようとする課題】
【０００７】
これから出発して、本発明の課題は、電子装置モジュールの交換が工具なしにできるだけ簡単にしかも安全に行われる、改良された電子装置を提供することである。
【課題を解決するための手段】
【０００８】
この課題は、請求項１の特徴を有する電子装置により解決される。有利な実施形態が従属請求項に記載されている。
【０００９】
このタイプの電子装置に対して、電子装置モジュールの係止要素は、電子装置の第２端面に操作ラグを、および第２端面の反対側の電子装置のその第１端面に掴みラグを有すること、および電子装置モジュールおよびベースモジュールは相互に協働する直線案内部を有し、この場合、電子装置モジュールは、直線案内部により、ベースモジュールに直線状に移動可能に保持され且つベースモジュールに受入可能であることが提案される。
【００１０】
相互に向かい合う端面に配置された対をなす操作ラグおよび掴みラグにより、電子装置モジュールおよびベースモジュールの直線案内部と組み合わせて、電子装置モジュールは、操作ラグおよび掴みラグが片手で掴まれてベースモジュールからほぼ垂直に上方に引出し可能となる。片手の指の一方が操作ラグにおよび他方が掴みラグに当接するように電子装置モジュールを手で掴んだとき、同時に、操作ラグと協働する係止要素が操作され且つ電子装置モジュールはベースモジュールから係止解除される。このようにして、電子装置モジュールがベースモジュールに確実に作動状態に係止されているにもかかわらず、通常少なくとも１つの係止要素によりベースモジュールに固定された電子装置モジュールを、ベースモジュールから簡単に引き抜くことが可能である。しかしながら、電子装置モジュールをベースモジュールから引き出すことは、電子装置モジュールが両側で掴まれたときにのみ可能である。片側のみに力を作用させるだけでよい揺動の代わりに、電子装置モジュールは、直線案内部と、およびそれに関連して向かい合う両方の端面に同時に力を作用させる必要性があることにより、ベースモジュールに確実に固定されている。
【００１１】
ここで、「ラグ」とは、直接隣接する領域に向かい合って突出する部分と理解される。この場合、ラグが端面によって展張された平面から突出するか、即ち端面壁から突出するか、または端面壁の平面のやや手前または平面上で終端するかは重要ではない。
【００１２】
操作ラグを有する係止要素が、電子装置モジュールの端面壁に配置され且つその自由端部に係止ラグを有する、ばね弾性を有する係止アームとして設計されているとき、それは特に有利である。ばね弾性を有する係止アームのこの係止ラグは、このとき、電子装置モジュールがベースモジュール上に挿入された状態において、係止ラグが、電子装置モジュールをベースモジュールに固定するための、ベースモジュールの端面壁に形成された係止開口内に入り込むように形成されている。突出する操作ラグを電子装置モジュールの方向に押したとき、係止ラグは係止開口から押し出され且つ電子装置モジュールはベースモジュールから係止解除される。このとき、ベースモジュールの下側により、およびベースモジュールがその上に装着されている支持レールにより展張された平面に対して垂直に上方に、電子装置モジュールを引き抜くことが可能である。
【００１３】
この場合、ばね弾性を有する係止アームが電子装置モジュールの絶縁材ハウジングと一体に成形されているとき、それは特に有利である。係止アームが操作ラグ並びにその自由端部に係止ラグを有し、およびベースモジュールに固定された挿入状態においてその自由端部をベースモジュールに向けている。これは、電子装置モジュールをベースモジュール上に挿入したとき、ばね弾性を有する係止アームは係止ラグの傾斜された外側により、はじめはいったん開放位置に揺動され、次に係止開口に到達したときに係止アームのばね弾性により自動的に挿入状態に戻され、これにより、係止ラグは係止開口内に入り込み且つ係止アームの自由端部において係止開口に隣接するクロスバーが係止ラグに対するストッパを形成するという利点を有する。
【００１４】
このために、ベースモジュールの絶縁材ハウジングに、係止ブラケットの自由端部にクロスバーによって境界が形成された係止開口を有する、電子装置モジュールの方向に突出する該係止ブラケットが設けられている。
【００１５】
電子装置の一方の端面にばね弾性を有する係止アームおよび付属開口を備えた係止要素が設けられ、および反対側の端面で電子装置モジュールがベースモジュールへ非直接的に固定されているとき、それは特に有利である。これにより、電子装置モジュールは、ばね弾性を有する係止アームを備えた一方の側部においてのみ、ベースモジュールに固定されている。一方、反対側の側部は、電子装置モジュールおよびベースモジュール間に係止手段を有していない。
【００１６】
これに関して、電子装置が、電気導体を接続するための導体接続端子を備えた、電子装置モジュール上に挿入可能な導体接続モジュールを有するとき、それは特に有利である。このとき、これらの導体接続端子は、導体接続モジュールが電子装置モジュール上に挿入された作動状態において、電子装置モジュールと電気的に導通結合されている。これにより、電界バス部品は電気導体を介して電子装置に接続可能である。この好ましい実施形態において、導体接続モジュールおよびベースモジュールは、ばね弾性を有する係止アームおよび付属係止開口の反対側の第１端面に、導体接続モジュールをベースモジュールに固定するための要素を有する。これにより、一方の側部上において、電子装置モジュールはばね弾性を有する係止アームによりベースモジュールに固定され、および反対側の側部において、導体接続モジュールはベースモジュールに固定される。導体接続モジュールが電子装置モジュールを飛び越えて直接ベースモジュールに固定されることにより、このようにして、電子装置モジュールは、導体接続モジュールのベースモジュールとの固定を介して間接的に固定され、且つ引き出されることが阻止される。これは、例えば電気導体に加えられたきわめて大きい引張力による電子装置の意図しない分解が可能ではないという利点を有する。電子装置モジュールは、導体接続モジュールが予め導体接続モジュールおよびベースモジュール間の固定の解除により下側に位置する電子装置モジュールから引き離されたときにのみ、ベースモジュールから取外し可能である。別の第２ステップにおいて、突出する操作ラグおよび反対側の掴みラグを押すことにより、電子装置モジュールはベースモジュールから引抜き可能である。
【００１７】
他の好ましい実施形態において、電子装置モジュールの突出する掴みラグがベースモジュールの絶縁材ハウジングの開口内に突出する。この場合、突出する掴みラグが、ベースモジュールの絶縁材ハウジングの開口を貫通して突出し且つベースモジュールの端面壁から突出するとき、これにより、電子装置モジュールを引き出すために付属端面壁の外側から指で確実且つ簡単に掴むことが可能であるので、それは特に有利である。
【００１８】
掴みラグが、電子装置モジュール上に挿入された、作動状態にある導体接続モジュールに隣接して、即ち係止足部を備えたベースモジュールの底部から離れた場所に配置されていることが好ましい。
【００１９】
操作ラグの、ばね弾性を有する係止アームが、操作ラグの反対側の掴みラグよりも、係止足部を備えたベースモジュールの下側によって展張された平面に、より近づいて位置することが好ましい。これは、ばね弾性を有する係止アームを備えた電子装置モジュールが、支持レールに対してより近いベースモジュールに固定され、掴みラグが反対側の側部上に位置し、反対側の側部上において片手の指で、ばね弾性を有する係止アームの操作ラグが押し込まれ且つ引き出されるように保持されるとき、同じ手で掴みラグに届くという利点を有する。
【００２０】
さらに、ばね弾性を有する係止アームの操作ラグおよび／または掴みラグが、波形隆起を有するとき、それは有利である。この波形隆起は、例えば、挿入方向に対して横方向に伸長し且つ相互に間隔をなすクロスバーにより形成可能である。
【００２１】
さらに、電子装置モジュールを終端位置内に導入するために、直線案内部が少なくとも一方の端面において斜めに伸長するとき、それは有利である。必ずしも端面壁に配置されている必要はない、反対側の直線案内部は、ベースモジュールの平面およびベースモジュールが装着された支持レールの平面に対して直角に伸長するように形成されていても、または少なくとも挿入領域内において僅かに斜めに伸長していてもよい。
【００２２】
以下に本発明が一実施例により添付図面を用いて詳細に説明される。
【図面の簡単な説明】
【００２３】
【図１】図１は、３つの部分からなる電子装置の斜視図を示す。
【図２】図２は、重複して示したプリント回路板を有し、並びに電子装置モジュールおよびベースモジュールのカバーのない、図１からの３つの部分からなる電子装置の分解図を示す。
【図３】図３は、図１および２からの電子装置に対する、カバーのない電子装置モジュールの斜視側面図を示す。
【図４】図４は、電子装置モジュールにばね弾性を有する係止アームを備え且つベースモジュールに係止開口を有する付属係止ブラケットを備えた、図１からの電子装置の正面側部壁の正面図を示す。
【図５】図５は、図１および４からの電子装置の、断面Ｂ−Ｂによる側断面図を示す。
【図６】図６は、部分Ｃ内の、図５からの電子装置の部分図を示す。
【発明を実施するための形態】
【００２４】
図１は、３つの部分から構成され且つベースモジュール２、ベースモジュール２上に挿入可能な電子装置モジュール３および電子装置モジュール３上に挿入可能な導体接続モジュール４を有する電子装置１の斜視図を示す。ベースモジュール２は、ベースモジュール２を支持レール（図示されていない）上に装着し且つそこに締付固定するために、その下側に係止足部５を有する。
【００２５】
ベースモジュール２の相互に向かい合う側壁にプラグ接点７が存在する。これらのプラグ接点７は、電子装置１が支持レール上に１列に並列に固定されているとき、隣接する電子装置１の隣接プラグ接点と接触するように形成されている。このようにして、プラグ接点７により、電子装置１の列内を貫通するデータバスが確立可能である。さらに、プラグ接点７により、電源ラインを介して電子装置モジュール３への電気エネルギー供給が提供可能である。
【００２６】
このグループのプラグ接点７から間隔をなして、導体接続モジュール４の下側に、他のグループのプラグ接点８が存在する。これらのプラグ接点８は、より高い電流負荷容量により、電子装置１に接続された電界バス部品に対して電力エネルギー供給を提供するように形成されている。導体接続モジュール４内の導体挿入開口９を介して挿入された電気ラインが導体接続モジュール４内に存在する付属導体接続端子（見えていない）と接触されたとき、これらの電界バス部品は電気ラインを介して電子装置１に接続可能である。
【００２７】
導体接続モジュール４は、揺動可能に、ベースモジュール２の第１正面側部（換言すれば、第１端面）１１の揺動軸受１０とピボット結合されている。このために、導体接続モジュール４の自由端部の突出する軸受ピン１２が、揺動軸受の係止凹部１３内に入り込む。揺動軸受１０の反対側の側部に係止ブラケット１４が存在し、係止ブラケット１４により、導体接続モジュール４は、揺動軸受１０の周りに、上方に向けて電子装置モジュール３から離れるように揺動可能である。それに続いて、揺動支持が解除され且つ導体接続モジュール４は完全に取外し可能である。
【００２８】
図示の作動状態において導体接続モジュール４を電子装置モジュール３に確実に係止または固定するために、係止ブラケット１４の領域内に係止装置が設けられている。
【００２９】
図示の作動状態において、導体接続モジュール４内に受け入れられた導体接続端子は電子装置モジュール３上の電子装置と接触し、および／またはプラグ接点７と電気結合されるので、接続された電界バス部品は電子装置モジュール３により所定の方法で操作可能であるか、ないしは信号が電界バス部品から受信可能且つデータバスを介して転送可能である。
【００３０】
例えば故障した場合、電子装置モジュール３をできるだけ迅速且つ工具の使用なしに交換することが必要である。しかしながら、これは、操作される装置の正常な運転が危険な状況とされないときにのみ可能である。さらに、電子装置モジュール３が、例えば導体接続モジュール４に接続された電気導体に加えられた引張力によりベースモジュール２から引き抜かれることが阻止されなければならない。
【００３１】
このために、電子装置モジュール３は、揺動軸受１０内に受け入れられた導体接続モジュール４を介して間接的に必ず作動状態に保持されることにより、第１正面側部１１の領域内においてベースモジュール２に確実に固定されている。したがって、電子装置モジュール３は、第１正面側部１１上においてベースモジュール２に間接的に固定されている。
【００３２】
これに対して、電子装置モジュール３がベースモジュール２上に挿入されたとき、電子装置モジュール３は、電子装置１の、第１正面側部１１の反対側の第２正面側部（換言すれば、第２端面）１５上において、図示の作動位置においてベースモジュール２に直接固定されている。
【００３３】
図２は、部分的に開放された状態にある、図１からの電子装置１の分解斜視図を示す。ベースモジュール２はプラスチック材料からなる絶縁材ハウジング１６を有することがわかる。第１正面側部１１において、プラグ接点７、８を備えた底部部分に対して反対側に、軸受凹部１３により形成された揺動軸受１０が存在する。絶縁材ハウジング１６内において、横に伸長する結合スリーブ１７により、その上に位置する開口１８が形成され、開口１８内に、電子装置モジュール３の絶縁材ハウジング２０の突出する掴みラグ１９が入り込むことが可能である。この場合、この掴みラグ１９は開口１８内に突出し且つ第１正面側部１１の正面側部壁により形成された面から外側に突出していることが好ましい。
【００３４】
突出する掴みラグ１９に、挿入方向Ｚに対して横方向に伸長する、相互に間隔をなして配置されたクロスバー２２の形の波形隆起２１が形成されていることがわかる。
【００３５】
電子装置モジュール３を上から掴んでいるとき、波形隆起２１を利用して掴みラグ１９に圧力が加えられ、且つ指が掴みラグ１９から滑ることなく、電子装置モジュール３を上方に引き上げることが可能である。電子装置モジュール３の絶縁材ハウジング２０において、反対側の第２正面側部１５上にばね弾性を有する係止アーム２３が配置され、係止アーム２３は、挿入方向Ｚに下方に、ベースモジュール２の方向に伸長している。係止アーム２３の自由端部に、断面が三角形の、テーパ状に伸長する係止ラグ２４が配置され、係止ラグ２４は、電子装置モジュール３がベースモジュール２上に挿入されたとき、作動状態において、ベースモジュール２の絶縁材ハウジング１６に一体成形された係止ブラケット２６の係止開口２５内に入り込む。これにより、電子装置モジュール３は、係止開口２５内の係止ラグ２４によって作動状態に固定され且つベースモジュール２に固定されている。
【００３６】
ばね弾性を有する係止アーム２３に、さらに、突出する操作ラグ２７が配置され、操作ラグ２７は、電子装置モジュール３から正面側部壁１５に対して外方に伸長する。電子装置モジュール３を上から手で掴んだとき、ユーザの手の指により、操作ラグ２７を電子装置モジュール３の内部空間の方向に押すことにより、係止ブラケット２３は電子装置モジュール３の中心方向に移動される。これにより、係止ラグ２４は、ベースモジュール２の係止ブラケット２６の係止開口２５との係合から外されるので、電子装置モジュール３は、支持レール面に対して垂直に、挿入方向Ｚとは反対方向に、即ちそれに対応してベースモジュール２の下側の面に対して上方に引抜き可能である。
【００３７】
さらに、電子装置モジュール３が、その絶縁材ハウジング２０の内部空間内に、電子構造要素を支持するプリント回路板２８を有することがわかる。プリント回路板２８はさらにプラグコネクタ２９を有し、プラグコネクタ２９は、挿入方向Ｚに、ベースモジュール２の方向を向いている。ベースモジュール２は、それに対応するプラグコネクタ３０を有する。電子装置モジュール３をベースモジュール２上に挿入したとき、プラグコネクタ２９、３０は相互に係合し、これにより、プリント回路板２８上の電子構造要素と付属プラグコネクタ７との間に電気的導通接触が形成される。
【００３８】
プリント回路板２８上の接触面を電力エネルギー供給用プラグコネクタ８と直接導通接触させるために、プリント回路板２８は、反対側において下方に突出している。
【００３９】
プリント回路板２８の上部端縁に接触面３１が存在し、接触面３１は、導体接続モジュール４内の導体接続端子３２と接触するように設けられている。このようにして、導体接続端子３２に接続された電気導体は、プリント回路板２８上の電子装置と電気的に導通結合可能である。
【００４０】
導体接続モジュール４は、上部部分３３および下部部分３４の２つの部分から構成された絶縁材ハウジングおよびその中に受け入れられた複数の導体接続端子３２から形成されることがわかる。
【００４１】
ベースモジュール２の下側およびその中に挿入された支持レールにより展張された平面に対して垂直に、挿入方向Ｚに、電子装置モジュール３をベースモジュール２上に案内するために、ベースモジュール２の絶縁材ハウジング１６および電子装置モジュール３の絶縁材ハウジング２０内に、相互に対応する直線案内部３５ａ，３５ｂ；３６ａ，３６ｂが存在する。これらは、垂直方向上方に、即ちベースモジュールの下側によって展張された平面に対して垂直に伸長する。これにより、電子装置モジュール３は、操作ラグ２７および掴みラグ１９を掴むことによって引き出すときには、傾くことなく上方に引き抜かれ、挿入するときには、垂直方向下方にベースモジュール２上に装着される。
【００４２】
図３は、開放された図２からの電子装置モジュール３の側面図を示す。この場合、掴みラグ１９は、直線案内部３５ｂに対して相対的に、電子装置モジュール３の正面側部から突出していることがわかる。
【００４３】
プリント回路板２８上の接触面３１は、別々の接触面３１、別々の接点要素（例えばはんだ付けピン）またはプリント回路板２８上の条導体の端部部分であってもよい。
【００４４】
電子装置モジュール３は縦方向にオフセット形状を有し、且つ接触面３１より下方の領域において、プラグコネクタ２９の領域においてよりも深く伸長されていることもまたわかる。このより深く伸長された部分は、正面側部において直線案内部３５ｂおよび３６ｂにより境界が形成され、且つベースモジュール２内の対応直線案内部３５ａおよび３６ａを有する対応受入開口内に入り込む。
【００４５】
図４は、電子装置モジュール３の第２正面側部１５の正面図を示す。図示の作動状態において、電子装置モジュール３は、その下側に位置するベースモジュール２上に挿入され且つこれに固定されていることがわかる。このために、ばね弾性を有する係止アーム２３の係止ラグ２４が、係止ブラケット２６の係止開口２５内に入り込む。この係止ブラケット２６は、ベースモジュール２の絶縁材ハウジング１６のプラスチック材料から一体に形成されている。係止開口２５は、係止ブラケット２６の自由端部におけるクロスバー３７により境界が形成されている。このクロスバー３７は、ばね弾性を有する係止アーム２３の係止ラグ２４に対するストッパを形成する。一方、このばね弾性を有する係止アーム２３は、電子装置モジュール３の絶縁材ハウジング２０のプラスチック材料から一体に成形されている。
【００４６】
さらに、図示の作動状態において、係止ブラケット２６のクロスバー３７の上側に、係止アーム２３の操作ラグ２７が突出していることがわかる。操作ラグ２７は、電子装置モジュール３を手で掴んだときにユーザの手の指で突出する操作ラグ２７に圧力を加えることが可能なように、第２正面側部１５の正面側部壁の面から突出しているか、または第２正面側部１５内において開口を介してアクセス可能である。次に、電子装置モジュール３の中心方向への圧力により、係止アームは揺動され且つ固定が解除され、および電子装置モジュール３は上方に引抜き可能である。これは、操作ラグ２７および反対側の掴みラグ１９により容易になり、これらを用いて、電子装置モジュール３は、片手の２本の指で掴み且つ引き抜くことが可能である。
【００４７】
図４は、さらに、電子装置１の切断面Ｂ−Ｂを示す。
【００４８】
図５は、図４に示す電子装置１の断面Ｂ−Ｂによる側断面図を示す。ここで、操作ラグ２７および掴みラグ１９は相互に向かい合っていることがわかる。この場合、操作ラグ２７は、本質的に、掴みラグ１９よりも、ベースモジュール２の下側に、より近づいて配置されていることがわかる。したがって、掴みラグ１９は、操作ラグ２７よりも、電子装置１の上側に、より近づいて存在する。これは、操作ラグ２７および掴みラグ１９間に形成された間隔が、例えばユーザの通常の手の大きさにおける親指による操作ラグ２７への圧力および中指による掴みラグ１９への圧力が可能な幅に低減され、且つ電子装置１を片手で容易に上から掴むことが可能であるという利点を有する。さらに、これにより、係止アーム２３の長さは比較的短くしておくことができるので、組込空間が節約され且つばね弾性を有する係止アーム２３の係止特性および揺動特性が改善される。操作ラグ２７および掴みラグ１９の間で高さに差があるにもかかわらず、直線案内部３６ａ、３５ｂ；３６ａ，３６ｂにより、電子装置モジュール３のベースモジュール２からの傾いた引出し、ないしは電子装置モジュール３のベースモジュール２内への傾いた挿入が回避される。
【００４９】
少なくとも突出する掴みラグ１９が、第１正面側部１１の外面から、その波形隆起２１だけ突出していることもまたわかる。
【００５０】
これに対して、反対側の操作ラグ２７は第２正面側部１５の面内において終端する。それにもかかわらず、電子装置モジュール３の絶縁材ハウジング２０内において、突出する操作ラグ２７の周りに十分な大きさの開口が存在するので、操作ラグ２７が指で操作され且つ保持されることが可能である。
【００５１】
図６は、図５に示した断面Ｂ−Ｂ内の部分Ｃ内の、電子装置１の部分図を示す。この場合、再度、電子装置モジュール３が、所定のように、図示された作動状態にベースモジュール２上に装着されたとき、ばね弾性を有する係止アーム２３がその自由端部をベースモジュールの方向に向けていることがわかる。その場所に、ベースモジュール２の係止ブラケット２６のクロスバー３７によって協働するストッパを形成するために、隆起部を有するくさび状にテーパする係止ラグが、電子装置モジュール３の中心から突出していることもまたわかる。
【符号の説明】
【００５２】
１  電子装置
２  ベースモジュール
３  電子装置モジュール
４  導体接続モジュール
５  係止足部
６  支持レール係止ラグ
７  プラグ接点、プラグコネクタ
８  プラグ接点、プラグコネクタ
９  導体挿入開口
１０  揺動軸受
１１  第１正面側部、第１正面側部壁
１２  軸受ピン
１３  係止凹部、軸受凹部
１４  係止ブラケット
１５  第２正面側部、第２正面側部壁
１６  絶縁材ハウジング
１７  結合スリーブ
１８  開口
１９  掴みラグ
２０  絶縁材ハウジング
２１  波形隆起
２２  クロスバー
２３  係止アーム
２４  係止ラグ
２５  係止開口
２６  係止ブラケット
２７  操作ラグ
２８  プリント回路板
２９  プラグコネクタ
３０  プラグコネクタ
３１  接触面
３２  導体接続端子
３３  上部部分
３４  下部部分
３５ａ、３５ｂ  直線案内部
３６ａ、３６ｂ  直線案内部
３７  クロスバー
Ｚ  挿入方向
【図１】
0006538038.tif 000002
【図２】
0006538038.tif 000003
【図３】
0006538038.tif 000004
【図４】
0006538038.tif 000005
【図５】
0006538038.tif 000006
【図６】
0006538038.tif 000007